(57)【要約】【課題】歯に歯列を矯正するマルチブラケット装置等のような矯正装置を装着した状態で、振動を効率よく矯正対象の歯に付与することができ、かつ装着・脱着の際に、不用意にブラケット等と干渉するおそれのない矯正歯科治療促進装置を提供する。【解決手段】歯列３を矯正するマルチブラケット装置６または矯正用マウスピース８のような矯正装置を装着することが前提となる。上下の歯３ａで噛み挟み可能なバイトプレート部分３０Ａに、起振部分１１から振動を付与する。バイトプレート部分３０Ａは、板状で硬質の伝達部分１３と、この伝達部分１３を被覆する軟質の接触部分１２とを含み、伝達部分１３に起振部分１１から振動を付与する。【選択図】図１
2013123624.tif 000002
【特許請求の範囲】
【請求項１】
矯正対象の歯に付与する振動を生成する起振部分と、前記起振部分の振動を前記矯正対象の歯に伝達するバイトプレート部分と、を備える矯正歯科治療促進装置において、
前記バイトプレート部分は、板状で硬質の伝達部分と、この伝達部分を被覆する軟質の接触部分とを含み、前記伝達部分に前記起振部分から振動を付与するようにしたことを特徴とする矯正歯科治療促進装置。
【請求項２】
前記起振部分は伝達部分に取付けられて前記接触部分で気密に覆われ、この起振部分を駆動するための電源供給部分および制御部分は口腔外に設置されて、前記起振部分と配線で接続されていることを特徴とする請求項１に記載の矯正歯科治療促進装置。
【請求項３】
前記起振部分は、この起振部分を駆動するための電源供給部分および制御部分とともに口腔外に設置されて、前記伝達部分と機械的に連結されていることを特徴とする請求項１に記載の矯正歯科治療促進装置。
【請求項４】
前記起振部分と前記バイトプレート部分の前記伝達部分とは、着脱可能に連結されていることを特徴とする請求項３に記載の矯正歯科治療促進装置。
【請求項５】
前記起振部分、この起振部分を駆動するための電源供給部分および制御部分は前記伝達部分に取付けられて前記接触部分で覆われていることを特徴とする請求項１に記載の矯正歯科治療促進装置。
【請求項６】
前記バイトプレート部分は、歯列の全体で噛み挟む略半円状、または歯列の左右いずれか片側で噛み挟む略四半円状、または歯列の前部で噛み挟む略円弧状であることを特徴とする請求項１〜５のいずれか一項に記載の矯正歯科治療促進装置。
【請求項７】
前記接触部分は軟化点８０℃以下の樹脂材料であり、前記伝達部分は軟化点８０℃以上の樹脂材料であることを特徴とする請求項１〜６のいずれか一項に記載の矯正歯科治療促進装置。
【請求項８】
前記バイトプレート部分は、歯の前面と裏面に被せ可能な形状の軟質の接触部分を含み、前記起振部分は接触部分で覆われていて、前記接触部分は、前記矯正対象の歯若しくはその付近の歯に着脱可能なサイズに構成されていることを特徴とする請求項１に記載の矯正歯科治療促進装置。
【請求項９】
前記接触部分は、ブラケットおよびワイヤーよりも上方位置で、歯の前面と裏面の上部に被せ可能な軟質の形状で構成されていることを特徴とする請求項８に記載の矯正歯科治療促進装置。
【請求項１０】
前記接触部分は、ブラケットおよびワイヤーを装着していない歯の面側が、ブラケットおよびワイヤーよりも下方位置に延在していることを特徴とする請求項８に記載の矯正歯科治療促進装置。
【請求項１１】
前記起振部分は、咬合面と平行方向に前記歯に振動を付与するものであることを特徴とする請求項８〜１０のいずれか一項に記載の矯正歯科治療促進装置。
【請求項１２】
前記起振部分を駆動するための電源供給部分および制御部分は口腔外に設置されて、前記起振部分と配線で接続されていることを特徴とする請求項８〜１１のいずれか一項に記載の矯正歯科治療促進装置。
【請求項１３】
前記起振部分、この起振部分を駆動するための電源供給部分および制御部分は、前記接触部分で覆われていることを特徴とする請求項８〜１１のいずれか一項に記載の矯正歯科治療促進装置。
【請求項１４】
前記接触部分は、２種以上の樹脂材料で構成され、前記矯正対象の歯に接触する部分が軟化点８０℃以下であり、それ以外の部分が軟化点８０℃以上であることを特徴とする請求項８〜１３のいずれか一項に記載の矯正歯科治療促進装置。
【請求項１５】
前記起振部分を含む電装品が前記接触部分に気密にモールドして組み込まれ、前記接触部分内に、前記電装品または前記接触部分の異常状態を検出する検出手段と、この検出手段の異常状態検出時に、前記電装品の駆動を停止させる駆動停止手段若しくは使用者に異常を知らせる異常呈示手段とが設けられていることを特徴とする請求項１〜１４のいずれか一項に記載の矯正歯科治療促進装置。
【請求項１６】
前記接触部分は、塑性変形することを特徴とする請求項１〜１５のいずれか一項に記載の矯正歯科治療促進装置。
【発明の詳細な説明】
【技術分野】
【０００１】
本発明は、矯正歯科治療促進装置に関する。
【背景技術】
【０００２】
従来、矯正歯科治療装置としては、マルチブラケット装置の装着による矯正が主流である。これは、図１４（ａ）に示すように、歯列３の歯３ａの前面に取付けたブラケット（ワイヤー係止用金具）４に跨って一連に矯正用ワイヤー５を係止するものである。なお、歯３ａの裏面に取付けたブラケット４に跨って一連に矯正用ワイヤー５を係止することもある。
【０００３】
そして、矯正用ワイヤー５の戻り力で矯正対象の歯３ａに一定力の静荷重を付与することで、歯列３の歯並びや咬み合わせを矯正するものである。すなわち、矯正対象の歯３ａに一定力の静荷重を付与すると、歯茎の中で歯を支えている歯槽骨に骨モデリング・骨リモデリングを生じ、矯正歯科治療ができるという原理に基づくものである。
【０００４】
しかし、このマルチブラケット装置６の装着による矯正では、期間が非常に長くかかる（早くて６箇月、通常は数年）。また、治療期間中は常にマルチブラケット装置６を歯３ａに装着すること、定期的に歯科医院へ通院することが義務付けられ、使用者にとって非常に大きな負担となっている。
【０００５】
また、マウスピース型の矯正歯科治療装置の開発も進められている。これは、図１４（ｂ）に示すように、使用者の現在の歯列から予想される治療後の理想的な歯列、若しくはその中間形状となるように、硬質合成樹脂製の矯正用マウスピース８をオーダーメイドで作成する。この矯正用マウスピース８を歯列全体に亘って、歯３ａの前面と裏面に咬合面方向から無理嵌めして装着するものである。
【０００６】
そして、矯正用マウスピース８の弾力で矯正対象の歯３ａに一定力の静荷重を付与することで、マルチブラケット装置６と同様に、歯列３の歯並びや咬み合わせを矯正するものである。
【０００７】
この矯正用マウスピース８は、食事や歯磨き時に簡便に取り外せることから、マルチブラケット装置６と比較して使用者の負担を軽減することができる。
【０００８】
しかし、矯正用マウスピース８であっても、マルチブラケット装置６と同様、非常に長い期間の治療を必要とするうえ、治療が可能な症例は限られている。
【０００９】
そこで、矯正歯科治療期間を短縮するための方法の１つとして、矯正用ワイヤー５や矯正用マウスピース８のような静荷重だけではなく、振動のような動荷重を付与する研究もなされている。
【００１０】
例えば、図１５（ａ）は、歯列３の矯正対象の歯３ａに一定力（静荷重）を加えたサンプルＡと、歯列３の矯正対象の歯３ａに振動力（動荷重）を加えたサンプルＢとを比較したものである。これによれば、振動力を加えたサンプルＢの方が期間の短縮に効果があるという研究がなされている（非特許文献１）。
【００１１】
同様に、図１５（ｂ）は、歯列３の矯正対象の歯３ａに一定力（静荷重）を加えたサンプルＣと、歯列３の矯正対象の歯３ａに一定力（静荷重）＋振動力（動荷重）を加えたサンプルＤとを比較したものである。これによれば、一定力＋振動力を加えたサンプルＤの方が期間の短縮に効果があるという研究もなされている（非特許文献２）。
【００１２】
これらの研究によれば、矯正歯科治療の期間が２／３〜１／２に大幅に短縮されることになる。それのみではなく、振動力を付与するのは、非特許文献１では１日に１．５時間だけでよく、非特許文献２では２週間に1回で２分間だけでよいとなっている。つまり、非特許文献１では１日に１．５時間だけの治療を継続すればよく、非特許文献２では２週間に１回で２分間だけの治療を継続すればよいことになる。
【００１３】
この各研究は、矯正対象の歯３ａに起振機を直接固定するもので、現実的にヒトでの応用は不可能な形態であるが、矯正対象の歯３ａに振動力を付与することで矯正歯科治療の期間を短縮（促進）できる可能性が示唆されている。
【００１４】
矯正対象の歯３ａ若しくはその付近の歯３ａに振動力を付与する装置としては、振動子をマウスピースに内蔵した矯正歯科治療促進装置が提案されている（特許文献１）。これによれば、使用者に合うようにオーダーメイドした振動用マウスピースを歯列全体に被せて装着するだけで、矯正対象の歯３ａに振動力を付与することができるものである。
【先行技術文献】
【特許文献】
【００１５】
【特許文献１】特許第４３５６７３７号公報
【００１６】
【非特許文献１】清水：日矯歯誌４５：５６−７２，１９８６
【非特許文献２】大前他：日本矯正歯科学会雑誌，６０（４）：２０１，２００１
【発明の概要】
【発明が解決しようとする課題】
【００１７】
しかしながら、歯３ａにマルチブラケット装置６を装着した状態で、さらに振動用マウスピースを歯３ａに装着（若しくは脱着）する際に、不用意にブラケット４や矯正用ワイヤー５に干渉するとマルチブラケット装置６のアライメントが狂うおそれがある。
【００１８】
また、振動用マウスピースを装着（若しくは脱着）する際に、不用意にブラケット４等と干渉すると、ブラケット４が脱落するおそれもある。
【００１９】
本発明は、前記問題を解消するためになされたもので、歯に歯列を矯正するマルチブラケット装置や矯正用マウスピースのような矯正装置を装着した状態で、振動を効率よく矯正対象の歯に付与することができ、かつ装着・脱着の際に、不用意にブラケット等と干渉するおそれのない矯正歯科治療促進装置を提供することを目的とするものである。
【課題を解決するための手段】
【００２０】
前記課題を解決するために、本発明は、矯正対象の歯に付与する振動を生成する起振部分と、前記起振部分の振動を前記矯正対象の歯に伝達するバイトプレート部分と、を備える矯正歯科治療促進装置において、前記バイトプレート部分は、板状で硬質の伝達部分と、この伝達部分を被覆する軟質の接触部分とを含み、前記伝達部分に前記起振部分から振動を付与するようにしたことを特徴とする矯正歯科治療促進装置を提供するものである。
【００２１】
前記起振部分は伝達部分に取付けられて前記接触部分で気密に覆われ、この起振部分を駆動するための電源供給部分および制御部分は口腔外に設置されて、前記起振部分と配線で接続されている構成とすることができる。
【００２２】
前記起振部分は、この起振部分を駆動するための電源供給部分および制御部分とともに口腔外に設置されて、前記伝達部分と機械的に連結されている構成とすることができる。
【００２３】
前記起振部分と前記バイトプレート部分の前記伝達部分とは、着脱可能に連結されている構成とすることができる。
【００２４】
前記起振部分、この起振部分を駆動するための電源供給部分および制御部分は前記伝達部分に取付けられて前記接触部分で覆われている構成とすることができる。
【００２５】
前記バイトプレート部分は、歯列の全体で噛み挟む略半円状、または歯列の左右いずれか片側で噛み挟む略四半円状、または歯列の前部で噛み挟む略円弧状である構成とすることができる。
【００２６】
前記接触部分は軟化点８０℃以下の樹脂材料であり、前記伝達部分は軟化点８０℃以上の樹脂材料である構成とすることができる。
【００２７】
前記バイトプレート部分は、歯の前面と裏面に被せ可能な形状の軟質の接触部分を含み、前記起振部分は接触部分で覆われていて、前記接触部分は、前記矯正対象の歯若しくはその付近の歯に着脱可能なサイズに構成することができる。
【００２８】
前記接触部分は、ブラケットおよびワイヤーよりも上方位置で、歯の前面と裏面の上部に被せ可能な軟質の形状で構成されている構成とすることができる。
【００２９】
前記接触部分は、ブラケットおよびワイヤーを装着していない歯の面側が、ブラケットおよびワイヤーよりも下方位置に延在している構成とすることができる。
【００３０】
前記起振部分は、咬合面と平行方向に前記歯に振動を付与するものである構成とすることができる。
【００３１】
前記起振部分を駆動するための電源供給部分および制御部分は口腔外に設置されて、前記起振部分と配線で接続されている構成とすることができる。
【００３２】
前記起振部分、この起振部分を駆動するための電源供給部分および制御部分は、前記接触部分で覆われている構成とすることができる。
【００３３】
前記接触部分は、２種以上の樹脂材料で構成され、前記矯正対象の歯に接触する部分が軟化点８０℃以下であり、それ以外の部分が軟化点８０℃以上である構成とすることができる。
【００３４】
前記起振部分を含む電装品が前記接触部分に気密にモールドして組み込まれ、前記接触部分内に、前記電装品または前記接触部分の異常状態を検出する検出手段と、この検出手段の異常状態検出時に、前記電装品の駆動を停止させる駆動停止手段若しくは使用者に異常を知らせる異常呈示手段とが設けられている構成とすることができる。
【００３５】
前記接触部分は塑性変形する構成とすることができる。
【発明の効果】
【００３６】
本発明によれば、歯列を矯正するマルチブラケット装置や矯正用マウスピースのような矯正装置を装着した状態で、起振部分で振動が付与されるバイトプレート部分を上下の歯で噛み挟む。これにより、静荷重が付与されている矯正対象の歯に振動を効率よく付与することができる。
【００３７】
ここで、矯正用マウスピースは、マルチブラケット装置と異なり、食事や歯磨き時に使用者自身が簡便に取り外すことができる。そのため、使用者が矯正用マウスピースを一時的に取り外した状態で、バイトプレート部分を上下の歯列の歯で噛み挟むことで、歯に振動を付与することも本発明に含まれるものである。
【００３８】
また、バイトプレート部分は、上下の歯で噛み挟むだけであるから、マルチブラケット装置のブラケット等と干渉しないので、マルチブラケット装置のアライメントが狂うおそれがなくなり、ブラケットが脱落することもなくなる。
【００３９】
さらに、バイトプレート部分は、矯正対象の歯若しくはその付近の歯に噛み挟むこともできるから、振動を効率よく歯に付与することができる。
【図面の簡単な説明】
【００４０】
【図１】本発明に係る第１実施形態の板状タイプの矯正歯科治療促進装置であり、（ａ）は、バイトプレート部分の平面図、（ｂ）はマルチブラケット装置を装着し、バイトプレート部分を噛み挟んだ歯列の側面図、（ｃ）は矯正用マウスピースを装着し、バイトプレート部分を噛み挟んだ歯の側面図である。
【図２】（ａ）〜（ｄ）はバイトプレート部分の各種タイプを示す平面図である。
【図３】変形例のバイトプレート部分であり、（ａ）は平面図、（ｂ）は伝達部分を起振部分から取り外した平面図である。
【図４】（ａ）は伝達部分に起振部分等を取付けたバイトプレート部分の平面図、（ｂ）は（ａ）の拡大断面図、（ｃ）〜（ｅ）はバイトプレート部分の形状変形例の平面図である。
【図５】本発明に係る第２実施形態の被せタイプのバイトプレート部分であり、（ａ）は、マルチブラケット装置を装着した歯列の上顎のみタイプのバイトプレート部分の正面図、（ｂ）は（ａ）の側面断面図、（ｃ）は、マルチブラケット装置を装着した歯列の上下顎タイプのバイトプレート部分の正面図、（ｂ）は（ｃ）の側面断面図である。
【図６】被せタイプのバイトプレート部分であり、（ａ）は矯正用マウスピースを装着し、バイトプレート部分を噛み挟んだ歯列の正面図、（ｂ）は（ａ）の側面断面図、（ｃ）は変形例のバイトプレート部分の側面断面図である。
【図７】（ａ）〜（ｃ）は板状タイプのバイトプレート部分の変形例であり、（ａ）は正面図、（ｂ）は（ａ）の側面断面図、（ｃ）は別変形例の側面断面図、（ｄ）〜（ｆ）は被せタイプのバイトプレート部分の変形例であり、（ｄ）は側面断面図、（ｅ）は別変形例の正面図、（ｆ）は（ｅ）の側面断面図である。
【図８】（ａ）〜（ｃ）はそれぞれ別変形例の側面断面図である。
【図９】（ａ）は電装品内蔵の接触部分の概念図、（ｂ）は回路構成図である。
【図１０】（ａ）（ｂ）はそれぞれ回路構成図である。
【図１１】（ａ）（ｂ）はそれぞれ回路構成図である。
【図１２】（ａ）は電装品内蔵の接触部分の概念図、（ｂ）は回路構成図である。
【図１３】（ａ）は回路構成図、（ｂ）は短絡検知部を有する回路構成図（ｃ）は感水シートまたは味覚シートを内蔵したマウスピースを歯列に嵌めたときの断面図、（ｄ）は感水シートまたは味覚シートの斜視図である。
【図１４】（ａ）はマルチブラケット装置を装着した歯列の斜視図、（ｂ）は矯正用マウスピースを装着した歯列の斜視図である。
【図１５】（ａ）（ｂ）はそれぞれ歯列矯正の期間の短縮効果を説明するためのグラフである。
【発明を実施するための形態】
【００４１】
以下、本発明を実施するための形態について、図面を参照しながら詳細に説明する。本実施形態は、図１４（ａ）に示したマルチブラケット装置６、または図１４（ｂ）に示した矯正用マウスピース８を装着していることが前提である。
【００４２】
すなわち、マルチブラケット装置６は、同図のように、歯列３の歯３ａの前面３ｐ（若しくは裏面３ｑ）に取付けたブラケット（ワイヤー係止用金具）４に跨って一連に矯正用ワイヤー５を係止するものである。なお、ブラケット４と矯正用ワイヤー５は、歯３ａの全てに取付ける必要は無く、矯正対象の歯３ａ若しくはその付近の歯３ａ（以下、単に歯３ａと称することがある。）に跨って取付けるだけでもよい。また、矯正対象の歯３ａは１本だけに限らないことは言うまでもない。
【００４３】
そして、矯正用ワイヤー５の戻り力で歯３ａに一定力の静荷重を付与することで、歯列３の歯並びや咬み合わせを矯正するものである。
【００４４】
マルチブラケット装置６のブラケット４と矯正用ワイヤー５は、歯３ａの上下方向の略中間部付近に取付けられる。
【００４５】
また、矯正用マウスピース８は、同図のように、使用者に合うようにオーダーメイドした硬質合成樹脂製の矯正用マウスピース８を、歯列全体に亘って、歯３ａの前面と裏面に咬合面方向から無理嵌めして装着するものである。
【００４６】
そして、矯正用マウスピース８の弾力で歯３ａに一定力の静荷重を付与することで、マルチブラケット装置６と同様に、歯列３の歯並びや咬み合わせを矯正するものである。
【００４７】
図１〜図４は、第１実施形態の板状タイプの矯正歯科治療促進装置である。図１（ａ）は、板状タイプのバイトプレート部分３０Ａの平面図である。図１（ｂ）はマルチブラケット装置６を装着し、バイトプレート部分３０Ａを噛み挟んだ歯列の側面図、図１（ｂ）は矯正用マウスピース８を装着し、バイトプレート部分３０Ａを噛み挟んだ歯の側面図である。
【００４８】
バイトプレート部分３０Ａは、上下の歯列３（Ｕ，Ｄ）の略全体で噛み挟み可能な略半円板状の硬質の伝達部分１３を備えている。この伝達部分１３は、金属製、合成樹脂製のいずれであってもよい。
【００４９】
また、伝達部分１３の全体を気密（若しくは水密）に被覆（モールド）する接触部分１２は、軟質の合成樹脂製である。
【００５０】
さらに、伝達部分１３に必要個数の起振部分１１が取付けられて、接触部分１２で気密に覆われている。
【００５１】
起振部分（アクチュエータ）１１は、例えば、回転軸に取付けた偏心錘で機械的振動を生成する電動モータ、あるいは往復運動する可動子を有するリニアモータである。
【００５２】
例えば、偏心回転（振動）モータとしては、ミネベア社の型番ＫＨＮ４ＮＺを用いることができる。また、円盤（コイン）型振動モータとしては、ＴＰＣ社の型番ＦＭ３４Ｆを用いることができる。特に、市販の円盤（コイン）型振動モータを用いることで、回転モータの際に必要となる、回転部位の阻害を防止するカバーの設置が不要になり、より装置をコンパクト化できる。
【００５３】
接触部分１２は、生体安定性の高い樹脂材料製であり、マウスピース（またはマウスガード）の材料として広く用いられ、衛生面の安全性が保証された材料が好ましい。例えば、高分子材料であるＥＶＡ（エチレン酢酸ビニル樹脂）は、歯や歯肉へのアレルギー等の影響を抑えることができ、電気的絶縁性が確保でき、軟質性であることからも好ましい。
【００５４】
接触部分１２は、ショアＡ硬度９０以下の軟質樹脂であることが望ましい。接触部分１２を軟質材料とすることで、使用者毎に異なる歯列形状に適合して、安定して振動を伝えることができる。
【００５５】
また、接触部分１２は、塑性変形する材料で構成されていてもよい。接触部分１２の軟質材料が塑性変形することで、さまざまな歯列の形状に接触部分が適合し、確実に歯列に振動を伝えることができる。
【００５６】
さらに、振動の高速成分を緩和することにより、使用者の歯列や歯肉への損傷を防ぐことができる。
【００５７】
塑性変形する軟質材料は、特に限定するものではないが、パラフィンワックス、マイクロクリスタリンワックス、ビーズワックスまたはこれらの混合物が好適である。
【００５８】
具体例としては、マイクロクリスタリンワックスでは、日本製鑞製Ｈｉ−Ｍｉｃ１０４５、パラフィンワックスでは、日本製鑞製ＰａｒａｆｆｉｎＷＡＸ−１１５や、歯科用で広く用いられているルビー社製パラフィンワックスがある。これらを混合した材料としては、ＧＣ社製ソフトプレートワックス、バイトワックスなどが挙げられる。これらの材料は、適正な変形能を有することに加え、歯科用途や食品用途で広く使用されていることから、口腔内でも安全に使用できる。
【００５９】
また、伝達部分１３は、ショアＡ硬度９０以上の硬質樹脂であることが望ましい。伝達部分１３を硬質樹脂とすることで、起振部分１１の振動を確実に歯列３に伝達することができる。
【００６０】
さらに、接触部分１２を伝達部分１３から取り外し可能とすることで、接触部分１２を使用者に最適な硬度を選択することができる。
【００６１】
図１（ａ）のように、起振部分１１を駆動するための電源（交流または直流）供給部分１６および制御部分１７は、口腔外に設置されて、起振部分１１と配線１８で接続されている。
【００６２】
そして、マルチブラケット装置６を装着している歯列３では、図１（ｂ）のように、上側の歯列３（Ｕ）の歯３ａと下側の歯列３（Ｄ）の歯３ａとの間でバイトプレート部分３０Ａを噛み挟む。
【００６３】
また、矯正用マウスピース８を装着している歯列３では、図１（ｃ）のように、例えば下側の歯列３（Ｄ）に矯正用マウスピース８を装着している、そして、上側の歯列３（Ｕ）の歯３ａと下側の歯列３（Ｄ）の歯３ａの矯正用マウスピース８との間でバイトプレート部分３０Ａを噛み挟む。
【００６４】
第１実施形態の板状タイプの矯正歯科治療促進装置であれば、歯列３を矯正するマルチブラケット装置６や矯正用マウスピース８のような矯正装置を装着した状態である。そして、起振部分１１で振動が付与されるバイトプレート部分３０Ａを上下の歯列３（Ｕ，Ｄ）の歯３ａで噛み挟む。これにより、静荷重が付与されている歯３ａに振動を効率よく付与することができる。
【００６５】
ここで、矯正用マウスピース８は、マルチブラケット装置６と異なり、食事や歯磨き時に使用者自身が簡便に取り外すことができる。そのため、使用者が矯正用マウスピース８を一時的に取り外した状態で、バイトプレート部分３０Ａを上下の歯列３（Ｕ，Ｄ）の歯３ａで噛み挟むことで、歯３ａに振動を付与することも可能である。
【００６６】
また、バイトプレート部分３０Ａは、上下の歯列（Ｕ，Ｄ）３で噛み挟むだけであるから、マルチブラケット装置６のブラケット４等と干渉しないので、マルチブラケット装置６のアライメントが狂うおそれがなくなり、ブラケット４が脱落することもなくなる。
【００６７】
さらに、バイトプレート部分３０Ａは、後述する図４（ｃ）〜（ｅ）のように、歯３ａに噛み挟むこともできるから、振動を効率よく歯３ａに付与することができる。
【００６８】
また、使用者がオーダーメイドする振動用マウスピースのように、歯列３全体に被せて装着するのではない。すなわち、後述する図４（ｃ）〜（ｄ）、または図５、図６のように、歯列３の歯３ａ若しくはその付近の歯３ａに振動を付与するように噛み挟むようにできるから、コンパクトとなり、かつ汎用性も格段に向上するようになる。
【００６９】
さらに、バイトプレート部分３０Ａ（後述のバイトプレート部分３０Ｂも同様。）は、矯正装置がマルチブラケット装置６または矯正用マウスピース８であっても、いずれにも適用することができる。
【００７０】
また、バイトプレート部分３０Ａは、板状タイプであり、軟質の接触部分１２を介して硬質の伝達部分１３を噛み挟むことにより、起振部分１１の振動を効率よく歯３ａに付与することができる。しかも、上下の歯３ａによる押しつけ力により、軟質の接触部分１２が歯３ａの形状に沿って変形するので、効果的な振動を歯３ａに付与することができる。
【００７１】
さらに、伝達部分１３に起振部分１１を取付けて接触部分１２で気密に覆うとともに、電源供給部分１６および制御部分１７を口腔外に設置することで、バイトプレート部分３０Ａがコンパクトになり、口腔に出し入れし易くなる。
【００７２】
図１（ａ）の板状タイプのバイトプレート部分３０Ａは、平面視で略Ｕ字型であり、この略Ｕ字型が通常タイプである。しかし、不正咬合の歯列形状、例えば、図２（ａ）のような狭窄歯列型タイプ、図２（ｂ）のようなＶ字歯列型タイプ、図２（ｃ）のような馬蹄歯列型タイプ、図２（ｄ）のような方形歯列型タイプとしてもよい。そして、これらのタイプに合うバイトプレート部分３０Ａを揃えておけば、様々な症例の歯科矯正患者に対して、適切な振動を付与することができる。
【００７３】
図３（ａ）（ｂ）は、第１実施形態の変形例のバイトプレート部分３０Ｂである。起振部分１１は、この起振部分１１を駆動するための電源供給部分１６および制御部分１７とともに口腔外のボックス（装置）１９内に設置されて、伝達部分１３の突起部１３ａと機械的に連結されている。
【００７４】
すなわち、起振部分１１とバイトプレート部分３０Ｂの伝達部分１３の突起部１３ａとは、図３（ｂ）の矢印のように、ボックス１９内で着脱（差し込み）可能に連結されている。
【００７５】
このようにすれば、起振部分１１と電源供給部分１６および制御部分１７を口腔外に設置して、起振部分１１と機械的に連結した伝達部分１３に振動を伝達できるから、バイトプレート部分３０Ｂがコンパクトになり、口腔に出し入れし易くなる。
【００７６】
また、口腔に入れるバイトプレート部分３０Ｂを交換することが可能になるから、起振部分１１と電源供給部分１６と制御部分１７とを組み込んだボックス１９を異なる使用者にも衛生的に使用できるようになる。
【００７７】
また、図４（ａ）（ｂ）に示すように、起振部分１１、この起振部分１１を駆動するための電源供給部分１６および制御部分１７を伝達部分１３に取付けて、接触部分１２で気密に覆うことができる。
【００７８】
このようにすれば、起振部分１１と電源供給部分（ボタン電池等）１６および制御部分１７もバイトプレート部分３０Ａ．３０Ｂに組み込むことができるから、携帯性が良好になる。
【００７９】
さらに、バイトプレート部分３０Ａ．３０Ｂは、歯列３の全体で噛み挟む略半円状とできる他、図４（ｃ）のように、歯列３の右側半分、または図４（ｄ）のように、歯列３の左側半分で噛み挟む略四半円状とすることもできる。また、図４（ｅ）のように、歯列３の前部で噛み挟む略円弧状とすることもできる。
【００８０】
このようにすれば、振動を付与する歯３ａや口腔内への出し入れ性を考慮した形状を適宜に選択することができる。
【００８１】
前記の板状タイプのバイトプレート部分３０Ａ，３０Ｂにおいて、図７（ａ）（ｂ）のように、歯３ａに接触する接触部分１２を軟化点８０℃以下の樹脂材料で成形する。また、歯３ａに接触しない部分、つまり伝達部分１３を軟化点８０℃以上の樹脂材料で成形することができる。
【００８２】
軟化点８０℃以下の樹脂材料としては、ＥＶＡ（エチレン酢酸ビニル樹脂）があり、軟化点８０℃以上の樹脂材料としては、ポリアセタール、ＡＢＳがある。
【００８３】
このように構成すれば、湯等を用いて歯３ａに接触する接触部分１２の樹脂材料を軟化させ、その後、使用者の歯３ａに当てて硬化させる。これにより、使用者の歯３ａの形状に合うように接触部分１２を成形し直せるので、振動が安定して歯に伝達されるようになる。
【００８４】
また、図７（ｃ）のように、上下の歯列３（Ｕ，Ｄ）の一側のみ、図では下側の歯列３（Ｄ）の歯３ａに接触する接触部分１２のみを設けることもできる。
【００８５】
図５、図６は、第２実施形態の被せタイプの矯正歯科治療促進装置である。図５（ａ）は、マルチブラケット装置６を装着した歯列３の上顎のみタイプのバイトプレート部分３０Ｃの正面図、図５（ｂ）は図５（ａ）の側面断面図、図５（ｃ）は、マルチブラケット装置６を装着した歯列３の上下顎タイプのバイトプレート部分３０Ｃの正面図、図５（ｂ）は図５（ｃ）の側面断面図である。
【００８６】
図５（ａ）（ｂ）の上顎のみタイプのバイトプレート部分３０Ｃは、上顎の歯３ａの前面３ｐと裏面３ｑに咬合面３ｒ方向から被せ可能な、側面視で略逆Ｕ字形状の軟質の接触部分１２を備えている。
【００８７】
起振部分１１は、上顎の歯３ａの前面３ｐ（若しくは裏面３ｑ）に対向するように、接触部分１２で気密に覆われている。
【００８８】
接触部分１２は、上顎の歯列３の歯（１本または数本）３ａ若しくはその付近の歯３ａに着脱可能なサイズ（横幅）Ｗで構成されている。
【００８９】
図５（ｃ）（ｄ）の上下顎タイプのバイトプレート部分３０Ｃは、上下顎の歯３ａの前面３ｐと裏面３ｑに咬合面３ｒ方向から被せ可能な、側面視で略逆Ｈ字形状の軟質の接触部分１２を備えている。
【００９０】
起振部分１１は、上下顎の歯３ａの前面３ｐ（若しくは裏面３ｑ）に対向するように、接触部分１２で気密に覆われている。なお、起振部分１１は、上下の歯３ａの咬合面３ｒに対向するように配置することも可能である。
【００９１】
接触部分１２は、上下顎の歯列３の歯（１本または数本）３ａ若しくはその付近の歯３ａに着脱可能なサイズ（横幅）Ｗで構成されている。
【００９２】
図６（ａ）は、矯正用マウスピース８を装着した歯列３の下顎のみタイプのバイトプレート部分３０Ｄの正面図、図６（ｂ）はバイトプレート部分３０Ｄを装着した歯３ａの側面断面図である。なお、図５（ｃ）（ｄ）と同様に、歯列３の上下顎タイプのバイトプレート部分３０Ｄすることも可能である。
【００９３】
バイトプレート部分３０Ｄは、歯列３に装着した矯正用マウスピース８の外側から、歯３ａの前面３ｐと裏面３ｑに咬合面３ｒ方向から被せ可能な、側面視で略逆Ｕ字形状の軟質の接触部分１２を備えている。
【００９４】
起振部分１１は、歯３ａの前面３ｐ（若しくは裏面３ｑ）に対向するように、接触部分１１で気密に覆われている。なお、起振部分１１は、上下の歯３ａの咬合面３ｒに対向するように配置することも可能である。
【００９５】
接触部分は、歯列３の歯（１本または数本）３ａ若しくはその付近の歯３ａに着脱可能なサイズ（横幅）Ｗで構成されている。
【００９６】
第２実施形態の被せタイプの矯正歯科治療促進装置であれば、歯列３を矯正するマルチブラケット装置６や矯正用マウスピース８のような矯正装置を装着した状態で、起振部分１１で振動が付与されるバイトプレート部分３０Ｃを歯３ａに被せる。または、バイトプレート部分３０Ｄを矯正用マウスピース８の外側から歯３ａに被せる。
【００９７】
そして、上下の歯３ａで咬合面３ｒの接触部分１２を噛み挟むことにより、静荷重が付与されている歯３ａに起振部分１１の振動を効率よく付与することができる。
【００９８】
また、バイトプレート部分３０Ｃ，３０Ｄは、矯正装置がマルチブラケット装置６または矯正用マウスピース８であっても、いずれにも適用することができる。
【００９９】
さらに、バイトプレート部分３０Ｃ，３０Ｄは、被せタイプであり、また、起振部分１１を歯３ａに近づけることができるので、振動を効率よく歯３ａに付与することができる。さらに、使用者がオーダーメイドする矯正用マウスピースのように、歯列３全体に被せて装着するのではない。すなわち、歯列３の歯３ａに対応する矯正用マウスピース８の外側に装着するものであるから、コンパクトとなり、かつ汎用性も向上するようになる。
【０１００】
また、矯正装置がマルチブラケット装置６であるときは、図５（ｂ）のように接触部分１２を、ブラケット４およびワイヤー５よりも下方位置の長さＬ１で、歯３ａの前面３ｐと裏面３ｑの上部に被せ可能な形状とできる。このようにすれば、被せタイプであっても、ブラケット４等と干渉しないので、マルチブラケット装置６のアライメントが狂うおそれがなくなり、ブラケット４が脱落することもなくなる。
【０１０１】
さらに、同図に示すように、接触部分１２は、ブラケット４およびワイヤー５を装着していない歯３ａの面３ｑ側が、ブラケット４およびワイヤー５よりも上方位置に長さＬ２で延在させることができる。これによれば、接触部分１２の歯３ａに接触する面積が増加するので、振動をより効率よく歯列３に付与することができる。
【０１０２】
また、起振部分１１を歯３ａの前面３ｐ（若しくは裏面３ｑ）に対向させることで、振動伝達効率が良好な咬合面３ｒと平行方向の振動を歯３ａに付与することができる。
【０１０３】
また、起振部分１１を駆動するための電源供給部分１６および制御部分１７を口腔外に設置されて、起振部分１１と配線１８で接続すれば、電源供給部分１６および制御部分１７を口腔外に設置する。これによれば、バイトプレート部分３０Ｃ，３０Ｄがコンパクトになり、口腔に出し入れし易くなる。
【０１０４】
さらに、図６（ｃ）のように、起振部分１１、この起振部分１１を駆動するための電源供給部分１６および制御部分１７を接触部分で気密に覆う。これによれば、起振部分１１と電源供給部分（ボタン電池等）１６および制御部分１７もバイトプレート部分３０Ｃ，３０Ｄに組み込むことができるから、携帯性が良好になる。
【０１０５】
前記の被せタイプのバイトプレート部分３０Ｃ，３０Ｄにおいて、図７（ｄ）のように、接触部分１２の歯３ａに接触する部分１２ｄを軟化点８０℃以下の樹脂材料で成形する。また、歯３ａに接触しない部分１２ｅを軟化点８０℃以上の樹脂材料で成形することができる。
【０１０６】
軟化点８０℃以下の樹脂材料としては、ＥＶＡ（エチレン酢酸ビニル樹脂）があり、軟化点８０℃以上の樹脂材料としては、ポリアセタール、ＡＢＳがある。
【０１０７】
このように構成すれば、湯等を用いて歯３ａに接触する部分１２ｄの樹脂材料を軟化させ、その後、使用者の歯３ａに当てて硬化させる。これにより、使用者の歯３ａの形状に合うように接触部分１２の部分１２ｄを成形し直せるので、振動が安定して歯に伝達されるようになる。
【０１０８】
前記の被せタイプのバイトプレート部分３０Ｃ，３０Ｄは、上下の歯列３（Ｕ，Ｄ）の一側のみ、図では下側の歯列３（Ｄ）の歯３ａだけに被せるものであった。これに対して、図７（ｅ）（ｆ）のように、上下の歯列３（Ｕ，Ｄ）の歯３ａにそれぞれ被せるように構成することもできる。
【０１０９】
この場合には、図７（ｄ）と同様に、接触部分１２の歯３ａに接触する接触部分１２ｄを軟化点８０℃以下の樹脂材料で成形する。また、歯３ａに接触しない部分１２ｅを軟化点８０℃以上の樹脂材料で成形することができる。
【０１１０】
図７（ｅ）（ｆ）のように、上下の歯列３（Ｕ，Ｄ）の歯３ａにそれぞれ被せるように構成した場合、起振部分１１は、図８（ａ）のように、上下の歯３ａの各咬合面３ｒの間に設けることができる。また、図８（ｂ）のように、上下の歯３ａの各咬合面３ｒを跨いで上下の歯３ａの前面３ｐ（若しくは裏面３ｑ）に設けることができる。さらに、図８（ｃ）のように、上下の歯３ａの前面３ｐ（若しくは裏面３ｑ）にそれぞれ設けることができる。
【０１１１】
一方、第１実施形態のバイトプレート部分３０Ａ、第２実施形態のバイトプレート部分３０Ｃ，３０Ｄは、口腔内に入る起振部分１１（電源供給部分１６および制御部分１７も含む）を接触部分１２で気密に覆って（モールド）している。
【０１１２】
ここで、電装品２０である起振部分１１（電源供給部分１６および制御部分１７も含む）は、口腔内に入るものであるから、接触部分１２に電装品２０を気密（若しくは水密）状態で内蔵することで、安全性を保証することができる。
【０１１３】
それと同時に、接触部分１２や電装品２０の異常状態を検出して、この検出手段の異常状態検出時に、電装品２０の駆動を停止させること、あるいは使用者に異常を知らせることで、安全性を保証しなければならない。
【０１１４】
電装品２０自体の異常状態としては、例えば、起振部分１１や制御部分１７がショートしたような場合である。また、接触部分１２の異常状態としては、接触部分１２に亀裂等が生じて水分（唾液等）が電装品２０に浸入したような場合である。
【０１１５】
そこで、これらに異常状態が生じた時に、電装品２０の駆動を停止させることで、安全性を保証する手段を次に説明する。
【０１１６】
図９（ａ）に概念図を示すように、接触部分１２内には、電装品２０や接触部分１２の異常状態を検出する検出手段４０を備えている。また、この検出手段４０の異常状態検出時に、電装品２０の駆動を停止させる駆動停止手段４１を備えている。なお、２１は、電装品２０を取付けるフレキシブル基板である。
【０１１７】
そして、検出手段４０で異常状態を検出した時に、駆動停止手段４１で電装品２０の駆動を停止させる。
【０１１８】
これにより、スイッチ２２〔図９（ｂ）参照〕等をオンしても電装品２０が駆動しないので、使用者にバイトプレート部分３０Ａ，３０Ｃ，３０Ｄを使用できないことを知らしめることで、安全性が保証されるようになる。
【０１１９】
次に、検出手段４０と駆動停止手段４１の具体例を説明する。第１に、電装品２０の異常電流値を検出する検出手段４０として、図９（ｂ）のように、起振部分１１の駆動回路に、電流計（電流センサ）４０Ａを設ける。また、駆動停止手段４１として、スイッチング素子４１Ａを設ける。
【０１２０】
電装品２０の異常電流値は、電装品２０自体のショートにより生じる。また、接触部分１２の亀裂等から浸入した水分（唾液等）で電装品２０がショートした場合に、電流値が異常に変動（電流値が急激に上昇）することにより生じる。
【０１２１】
そこで、この異常電流値（過電流）を電流計４０Ａで検出すると、この検出信号がベースに印加されることでスイッチング素子４１Ａがオフするので、起振部分１１の駆動が停止する。
【０１２２】
また、電装品２０の異常電流値を検出する検出手段４０としては、図１０（ａ）のようなヒューズ４０Ｂもあり、このヒューズ４０Ｂを起振部分１１の駆動回路に設ける。
【０１２３】
そして、異常電流値をヒューズ４０Ｂで検出すると、ヒューズ４０Ｂが破断（溶断）して駆動回路を遮断するので、起振部分１１の駆動が停止する。なお、ヒューズ４０Ｂは、電装品の駆動を停止させる駆動停止手段４１を兼用することになる。
【０１２４】
さらに、図１１（ｂ）のように、駆動回路内で電圧差の大きい回路部分（例えば電源とグランド）４２を、電装品２０を取付けるフレキシブル基板２１の浸水する可能性の高い部分（例えば、基板の外周縁）を近距離で併走させる。これにより、接触部分１２の亀裂等から浸入した水分（唾液等）で回路部分４０Ｉがショートした場合に、電流値が異常に変動（電流値が急激に上昇）する。この回路部分４０Ｉは、フレキシブル基板２１の外周縁に位置するから、水分の浸入でショートしやすく、ショート時の異常電流値を検出しやすい。この回路部分４０Ｉが異常電流値を検出する検出手段４０となる。また、駆動回路にヒューズ４０Ｂを設ける。
【０１２５】
そして、異常電流値を回路部分４０Ｉで検出すると、ヒューズ４０Ｂが破断（溶断）して駆動回路を遮断するので、起振部分１１の駆動が停止する。なお、ヒューズ４０Ｂは、電装品の駆動を停止させる駆動停止手段４１となる。
【０１２６】
第２に、電装品２０の異常電圧値を検出する検出手段４０として、図９（ｂ）のように、起振部分１１の駆動回路に、電圧計（電圧センサ）４０Ｃを設ける。また、駆動停止手段４１として、スイッチング素子４１Ａを設ける。
【０１２７】
電装品２０の異常電圧値は、電装品２０自体のショートにより、電圧値が異常に変動（電圧値が急激に下降）することにより生じる。また、接触部分１２の亀裂等から浸入した水分（唾液等）で電装品２０がショートした場合に、電圧値が異常に変動（電圧値が急激に下降）することにより生じる。
【０１２８】
そこで、この異常電圧値を電圧計４０Ｃで検出すると、この検出信号がベースに印加されることでスイッチング素子４１Ａがオフするので、起振部分１１の駆動が停止する。
【０１２９】
第３に、電装品２０を収納する接触部分１２の電装品２０の収納空間の異常温度を検出する検出手段４０として、図１０（ｂ）のように、温度計（温度センサ）４０Ｄを設ける。また、駆動停止手段４１として、スイッチング素子４１Ａを設ける。
【０１３０】
電装品２０の異常温度は、電装品２０自体のショート等による発熱（機器異常）により、温度が異常に変動（温度が急激に上昇）することにより生じる。接触部分１２の亀裂等から浸入した水分（唾液等）で電装品２０がショート等で発熱した場合に、温度が異常に変動（温度が急激に上昇）することにより生じる。
【０１３１】
そこで、この異常温度を温度計４０Ｄで検出すると、この検出信号がベースに印加されることでスイッチング素子４１Ａがオフするので、起振部分１１の駆動が停止する。
【０１３２】
温度計４０Ｄ以外に、サーミスタ、熱電対、バイメタルを用いることもできる。サーミスタと熱電対は、異常温度を検出すると出力電圧が変化し、この出力電圧の変化でスイッチング素子４１Ａをオフすることで回路を遮断することができる。バイメタルは、異常温度を検出すると形状が変化し、この形状の変化でスイッチングオフすることで回路を遮断することができる。
【０１３３】
第４に、電装品２０を収納する接触部分１２の収納空間の異常水分若しくは異常湿度を検出する検出手段４０として、図１０（ｂ）のように、水分計（水分センサ）若しくは湿度計（湿度センサ）４０Ｅを設ける。
【０１３４】
異常水分若しくは異常湿度は、接触部分１２の亀裂等から水分（唾液等）が浸入した場合に、水分若しくは湿度が異常に変動（水分量若しくは湿度が急激に上昇）することにより生じる。
【０１３５】
そこで、この異常水分若しくは異常湿度を水分計若しくは湿度計４０Ｅで検出すると、この検出信号がベースに印加されることでスイッチング素子４１Ａがオフするので、起振部分１１の駆動が停止する。
【０１３６】
第５に、電装品２０を収納する収納空間の異常気圧を検出する検出手段４０として、図１０（ｂ）のように、気圧計（気圧センサ）４０Ｆを設ける。
【０１３７】
異常気圧は、接触部分１２の収納空間の気圧を予め高めておき、接触部分１２の亀裂等から収納空間の気圧が抜けた場合に、気圧が異常に変動（気圧が急激に下降）することにより生じる。
【０１３８】
そこで、この異常気圧を気圧計４０Ｆで検出すると、この検出信号がベースに印加されることでスイッチング素子４１Ａがオフするので、起振部分１１の駆動が停止する。
【０１３９】
第６に、電装品２０を収納する収納空間の異常ガス濃度を検出する検出手段４０として、図１０（ｂ）のように、ガス濃度計（ガス濃度センサ）４０Ｇを設ける。
【０１４０】
異常ガス濃度は、接触部分１２の収納空間に予め不活性ガスを充填しておき、接触部分１２の亀裂等から収納空間の不活性ガスが抜けた場合に、ガス濃度が異常に変動（ガス濃度が急激に低下）することにより生じる。
【０１４１】
そこで、この異常ガス濃度をガス濃度計４０Ｇで検出すると、この検出信号がベースに印加されることでスイッチング素子４１Ａがオフするので、起振部分１１の駆動が停止する。
【０１４２】
第７に、駆動停止手段４１は、検出手段４０の検出信号による回路遮断である構成とすることができる。これによれば、検出手段４０から検出信号が入ると、駆動停止手段４１で即時に回路を遮断することで電装品２０の駆動を停止させることができる。この駆動停止手段としては、図１０（ｂ）のように、例えばスイッチング素子（スイッチングトランジスタ）４１Ａがある。なお、回路の遮断状態を保持する保持（ラッチ）回路を設けることが好ましい。
【０１４３】
第８に、駆動停止手段４１は、回路素子の形状変化による回路遮断である構成とすることができる。これによれば、形状変化する回路素子として、例えば異常温度を検出する検出手段４０としてのバイメタル（回路素子）は、異常温度を検出したときに反り返って（形状が変化して）回路を遮断することで電装品２０の駆動を停止させることができる。
【０１４４】
また、異常水分若しくは異常湿度を検出する検出手段４０として、図１１（ａ）のように、水分若しくは湿度に応じて伸縮する吸水性ゲル４０Ｈに、回路停止手段４１として、スライドスイッチ４１Ｂを設置する。この吸水性ゲル４０Ｈは、水分若しくは湿度が少ない乾燥時は、スライドスイッチ４１Ｂがオン状態である。そして、異常水分若しくは異常湿度を検出したときに膨潤して（形状が変化して）、矢印側の図のように、スイッチ４１Ｂが離れて回路を遮断することで電装品２０の駆動を停止させることができる。
【０１４５】
吸水性ゲル４０Ｈとしては、例えば、住友精化社製の吸水性樹脂  ＳＳゲルが適当である。なお、回路の遮断状態を保持する保持機構若しくは保持（ラッチ）回路を設けることが好ましい。
【０１４６】
第９に、駆動停止手段４１は、回路素子の破損による回路遮断である構成とすることができる。これによれば、破損する回路素子として、例えば異常電流値を検出する検出手段としてのヒューズ（回路素子）４０Ｂは、異常電流値を検出したときに破断（溶断）して回路を遮断することで、電装品２０の駆動を停止させることができる。
【０１４７】
一方、電装品２０または接触部分１２に異常状態が生じた時に、使用者に異常を知らせることで、安全性を保証する手段を次に説明する。
【０１４８】
図１２（ａ）に概念図を示すように、接触部分１２内には、電装品２０や接触部分１２の異常状態を検出する検出手段４０を備えている。また、この検出手段４０の異常状態検出時に、使用者に異常を知らせる異常呈示手段４３を備えている。
【０１４９】
そして、検出手段４０で電装品２０や接触部分１２の異常状態を検出した時に、異常呈示手段４３で使用者に異常を知らせる。
【０１５０】
これにより、バイトプレート部分３０Ａ，３０Ｃ，３０Ｄを使用できないことを知らしめることで、安全性が保証されるようになる。
【０１５１】
次に、検出手段４０と異常呈示手段４３の具体例を説明する。第１に、電装品２０の異常電流値を検出する検出手段４０として、図１２（ｂ）のように、電装品２０の駆動回路に、電流計（電流センサ）４０Ａを設ける。また、異常呈示手段４３として、警告音を発生させるブザー４３Ａまたは警告光を発生させるＬＥＤ（発光素子）４３Ｂを設ける。なお、ブザー４３ＡとＬＥＤ４３Ｂを一緒に設けてもよい。
【０１５２】
電装品２０の異常電流値は、電装品２０自体のショートにより生じる（機器異常）。また、接触部分１２の亀裂等から浸入した水分（唾液等）で電装品２０がショートした場合に、電流値が異常に変動（電流値が急激に上昇）することにより生じる。
【０１５３】
そこで、この異常電流値（過電流）を電流計４０Ａで検出すると、この検出信号により、ブザー４３Ａから警告音を発生させ、またはＬＥＤ（発光素子）４３Ｂを点滅させる等する。
【０１５４】
第２に、電装品２０の異常電圧値を検出する検出手段４０として、図１２（ｂ）のように、電装品２０の駆動回路に、電圧計（電圧センサ）４０Ｃを設ける。また、異常呈示手段４３として、警告音を発生させるブザー４３Ａまたは警告光を発生させるＬＥＤ（発光素子）４３Ｂを設ける。
【０１５５】
電装品２０の異常電圧値は、電装品２０自体のショートにより、電圧値が異常に変動（電圧値が急激に下降）することにより生じる。また、接触部分１２の亀裂等から浸入した水分（唾液等）で電装品２０がショートした場合に、電圧値が異常に変動（電圧値が急激に下降）することにより生じる。
【０１５６】
そこで、この異常電圧値を電圧計４０Ｃで検出すると、この検出信号により、ブザー４３Ａから警告音を発生させ、またはＬＥＤ（発光素子）４３Ｂを点滅させる等する。
【０１５７】
第３に、電装品２０を収納する接触部分１２の収納空間の異常温度を検出する検出手段４０として、図１１（ａ）のように、温度計（温度センサ）４０Ｄを設ける。また、異常呈示手段４３として、警告音を発生させるブザー４３Ａまたは警告光を発生させるＬＥＤ（発光素子）４３Ｂを設ける。
【０１５８】
電装品２０の異常温度は、電装品２０自体のショート等による発熱（機器異常）により、温度が異常に変動（温度が急激に上昇）することにより生じる。また、接触部分１２の亀裂等から浸入した水分（唾液等）で電装品２０がショート等で発熱した場合に、温度が異常に変動（温度が急激に上昇）することにより生じる。
【０１５９】
そこで、この異常温度を温度計４０Ｄで検出すると、この検出信号により、ブザー４３Ａから警告音を発生させ、またはＬＥＤ（発光素子）４３Ｂを点滅させる等する。
【０１６０】
温度計４０Ｄ以外に、サーミスタ、熱電対を用いることもできる。サーミスタと熱電対は、異常温度を検出すると出力電圧が変化し、この出力電圧の変化（検出信号）でブザー４３Ａから警告音を発生させ、またはＬＥＤ（発光素子）４３Ｂを点滅させる等する。
【０１６１】
第４に、電装品２０を収納する接触部分１２の収納空間の異常水分若しくは異常湿度を検出する検出手段４０として、図１３（ａ）のように、水分計（水分センサ）若しくは湿度計（湿度センサ）４０Ｅを設ける。
【０１６２】
異常水分若しくは異常湿度は、接触部分１２の亀裂等から水分（唾液等）が浸入した場合に（外殻異常）、水分若しくは湿度が異常に変動（水分量若しくは湿度が急激に上昇）することにより生じる。
【０１６３】
そこで、この異常水分若しくは異常湿度を水分計若しくは湿度計４０Ｅで検出すると、この検出信号により、ブザー４３Ａから警告音を発生させ、またはＬＥＤ（発光素子）４３Ｂを点滅させる等する。
【０１６４】
図１３（ｂ）のように、水分計（水分センサ）若しくは湿度計（湿度センサ）４０Ｅに代えて、回路が開成した短絡検出部４０Ｈを設けて、水分若しくは湿度で短絡検出部４０Ｈを短絡（ショート…回路が閉成）させる。この短絡検知部４０Ｈの短絡で、制御信号がスイッチング素子５０のベースに印加されることで、ＬＥＤ（発光素子）４３Ｂを点滅させることができる。
【０１６５】
第５に、電装品２０を収納する接触部分１２の収納空間の異常気圧を検出する検出手段４０として、図１３（ａ）のように、気圧計（気圧センサ）４０Ｆを設ける。
【０１６６】
異常気圧は、接触部分１２の収納空間の気圧を予め高めておき、接触部分１２の亀裂等から収納空間の気圧が抜けた場合に、気圧が異常に変動（気圧が急激に下降）することにより生じる。
【０１６７】
そこで、この異常気圧を気圧計４０Ｆで検出すると、この検出信号により、ブザー４３Ａから警告音を発生させ、またはＬＥＤ（発光素子）４３Ｂを点滅させる等する。
【０１６８】
第６に、電装品２０を収納する接触部分１２の収納空間の異常ガス濃度を検出する検出手段４０として、図１３（ａ）のように、ガス濃度計（ガス濃度センサ）４０Ｇを設ける。
【０１６９】
異常ガス濃度は、接触部分１２の収納空間に予め不活性ガスを充填しておき、接触部分１２の亀裂等から収納空間の不活性ガスが抜けた場合に、ガス濃度が異常に変動（ガス濃度が急激に低下）することにより生じる。
【０１７０】
そこで、この異常ガス濃度をガス濃度計４０Ｇで検出すると、この検出信号により、ブザー４３Ａから警告音を発生させ、またはＬＥＤ（発光素子）４３Ｂを点滅させる等する。
【０１７１】
第７に、検出手段４０と異常呈示手段４３とを兼ねたものとして、図１３（ｃ）（ｄ）のように、水分により色を変化させる感水シート４３Ｃを接触部分１２内に設ける。感水シート４３Ｃは、水分を吸収すると、吸水した部分の色が変化するものであり、検出手段を兼ねている。
【０１７２】
感水シート４３Ｃは、携帯電話等の水没検出シールとして汎用されており、特許第３０５８６３４号で公知である。また、例えばアドバンテック東洋社製の乾燥度試験紙、水分試験紙、塩化コバルト紙等がある。
【０１７３】
感水シート４３Ｃは、接触部分１２内のフレキシブル基板２１の前後位置にそれぞれ設けることが好ましい。また、フレキシブル基板２１を内部に完全に収納するような袋状であることがより好ましい。
【０１７４】
そして、接触部分１２の亀裂等から内部に水分（唾液等）が浸入し、感水シート４３Ｃが水分を吸収すると、吸水した部分の色が変化することで、使用者に視覚を通じて異常を知らせることができる。
【０１７５】
第８に、検出手段４０と異常呈示手段４３とを兼ねたものとして、図１３（ｃ）（ｄ）のように、水分により味を変化させる味覚シート４３Ｄを接触部分１２内に設ける。味覚シート４３Ｄは、水分を吸収すると、吸水した部分に予め染みこませている食塩等が溶け出すものであり、検出手段を兼ねている。味覚シート４３Ｄとしては、例えばアドバンテック東洋社製の食塩含浸濾紙がある。
【０１７６】
味覚シート４３Ｄは、接触部分１２内のフレキシブル基板２１の前後位置にそれぞれ設けることが好ましい。また、フレキシブル基板２１を内部に完全に収納するような袋状であることがより好ましい。
【０１７７】
そして、接触部分１２の亀裂等から内部に水分（唾液等）が浸入し、味覚シート４３Ｄが水分を吸収すると、吸水した部分に予め染みこませている食塩等が溶け出すことで、使用者に味覚を通じて異常を知らせることができる。
【０１７８】
以上のように、本発明に係る矯正歯科治療促進装置は、矯正対象の歯に付与する振動を生成する起振部分と、前記起振部分の振動を前記矯正対象の歯に伝達するバイトプレート部分と、を備える矯正歯科治療促進装置において、前記バイトプレート部分は、板状で硬質の伝達部分と、この伝達部分を被覆する軟質の接触部分とを含み、前記伝達部分に前記起振部分から振動を付与するようにしたことを特徴とするものである。
【０１７９】
これによれば、歯列を矯正するマルチブラケット装置や矯正用マウスピースのような矯正装置を装着した状態で、起振部分で振動が付与されるバイトプレート部分を上下の歯で噛み挟む。これにより、静荷重が付与されている矯正対象の歯に振動を効率よく付与することができる。
【０１８０】
ここで、矯正用マウスピースは、マルチブラケット装置と異なり、食事や歯磨き時に使用者自身が簡便に取り外すことができる。そのため、使用者が矯正用マウスピースを一時的に取り外した状態で、バイトプレート部分を上下の歯列の歯で噛み挟むことで、歯に振動を付与することも本発明に含まれるものである。
【０１８１】
また、バイトプレート部分は、上下の歯で噛み挟むだけであるから、マルチブラケット装置のブラケット等と干渉しないので、マルチブラケット装置のアライメントが狂うおそれがなくなり、ブラケットが脱落することもなくなる。
【０１８２】
さらに、バイトプレート部分は、矯正対象の歯若しくはその付近の歯に噛み挟むこともできるから、振動を効率よく歯に付与することができる。
【０１８３】
また、バイトプレート部分は、板状タイプであり、軟質の接触部分を介して硬質の伝達部分を噛み挟むことにより、起振部分の振動を効率よく歯に付与することができる。しかも、上下の歯による押しつけ力により、軟質材料の接触部分が歯の形状に沿って変形するので、効果的な振動を歯に付与することができる。
【０１８４】
前記起振部分は伝達部分に取付けられて前記接触部分で気密に覆われ、この起振部分を駆動するための電源供給部分および制御部分は口腔外に設置されて、前記起振部分と配線で接続されている構成とすることができる。
【０１８５】
これによれば、伝達部分に起振部分を取付けて接触部分で気密に覆うとともに、電源供給部分および制御部分を口腔外に設置することで、バイトプレート部分がコンパクトになり、口腔に出し入れし易くなる。
【０１８６】
前記起振部分は、この起振部分を駆動するための電源供給部分および制御部分とともに口腔外に設置されて、前記伝達部分と機械的に連結されている構成とすることができる。
【０１８７】
これによれば、起振部分と電源供給部分および制御部分を口腔外に設置して、起振部分と機械的に連結した伝達部分に振動を伝達できるから、バイトプレート部分がコンパクトになり、口腔に出し入れし易くなる。
【０１８８】
前記起振部分と前記バイトプレート部分の前記伝達部分とは、着脱可能に連結されている構成とすることができる。
【０１８９】
これによれば、口腔に入れるバイトプレート部分を交換することが可能になるから、起振部分と電源供給部分と制御部分とを組み込んだ装置を異なる使用者にも衛生的に使用できるようになる。
【０１９０】
前記起振部分、この起振部分を駆動するための電源供給部分および制御部分は前記伝達部分に取付けられて前記接触部分で覆われている構成とすることができる。
【０１９１】
これによれば、起振部分と電源供給部分（ボタン電池等）および制御部分もバイトプレート部分に組み込むことができるから、携帯性が良好になる。
【０１９２】
前記バイトプレート部分は、歯列の全体で噛み挟む略半円状、または歯列の左右いずれか片側で噛み挟む略四半円状、または歯列の前部で噛み挟む略円弧状である構成とすることができる。
【０１９３】
これによれば、振動を付与する歯や口腔内への出し入れ性を考慮した形状を適宜に選択することができる。
【０１９４】
前記接触部分は軟化点８０℃以下の樹脂材料であり、前記伝達部分は軟化点８０℃以上の樹脂材料である構成とすることができる。
【０１９５】
これによれば、湯等を用いて接触部分の樹脂材料を軟化させ、その後、使用者の歯に当てて硬化させることで、使用者の歯の形状に合うように接触部分を成形し直せるので、振動が安定して歯に伝達されるようになる。
【０１９６】
前記バイトプレート部分は、歯の前面と裏面に被せ可能な形状の軟質の接触部分を含み、前記起振部分は接触部分で覆われていて、前記接触部分は、前記矯正対象の歯若しくはその付近の歯に着脱可能なサイズに構成することができる。
【０１９７】
これによれば、マルチブラケット装置と矯正用マウスピースのいずれにも適用できる。そして、バイトプレート部分は、被せタイプであり、上下の歯で咬合面の接触部分を噛み挟むことにより、起振部分の振動を効率よく歯に付与することができる。また、起振部分を矯正対象の歯に近づけることができるので、振動を効率よく歯に付与することができる。さらに、使用者がオーダーメイドする矯正用マウスピースのように、歯列全体に被せて装着するのではなく、歯列の矯正対象の歯若しくはその歯に対応する矯正用マウスピースの外側に装着するものであるから、コンパクトとなり、かつ汎用性も向上するようになる。
【０１９８】
前記接触部分は、ブラケットおよびワイヤーよりも上方位置で、歯の前面と裏面の上部に被せ可能な軟質の形状で構成されている構成とすることができる。
【０１９９】
これによれば、被せタイプであっても、ブラケット等と干渉しないので、マルチブラケット装置のアライメントが狂うおそれがなくなり、ブラケットが脱落することもなくなる。
【０２００】
前記接触部分は、ブラケットおよびワイヤーを装着していない歯の面側が、ブラケットおよびワイヤーよりも下方位置に延在している構成とすることができる。
【０２０１】
これによれば、接触部分の歯に接触する面積が増加するので、振動をより効率よく歯に付与することができる。
【０２０２】
前記起振部分は、咬合面と平行方向に前記歯に振動を付与するものである構成とすることができる。
【０２０３】
これによれば、振動伝達効率が良好な咬合面と平行方向の振動を歯に付与することができる。
【０２０４】
前記起振部分を駆動するための電源供給部分および制御部分は口腔外に設置されて、前記起振部分と配線で接続されている構成とすることができる。
【０２０５】
これによれば、電源供給部分および制御部分を口腔外に設置することで、バイトプレート部分がコンパクトになり、口腔に出し入れし易くなる。
【０２０６】
前記起振部分、この起振部分を駆動するための電源供給部分および制御部分は、前記接触部分で覆われている構成とすることができる。
【０２０７】
これによれば、起振部分と電源供給部分（ボタン電池等）および制御部分もバイトプレート部分に組み込むことができるから、携帯性が良好になる。
【０２０８】
前記接触部分は、２種以上の樹脂材料で構成され、前記矯正対象の歯に接触する部分が軟化点８０℃以下であり、それ以外の部分が軟化点８０℃以上である構成とすることができる。
【０２０９】
これによれば、湯等を用いて歯に接触する部分の樹脂材料を軟化させ、その後、使用者の歯に当てて硬化させることで、使用者の歯の形状に合うように接触部分を成形し直せるので、振動が安定して歯に伝達されるようになる。
【０２１０】
前記起振部分を含む電装品が前記接触部分に気密にモールドして組み込まれ、前記接触部分内に、前記電装品または前記接触部分の異常状態を検出する検出手段と、この検出手段の異常状態検出時に、前記電装品の駆動を停止させる駆動停止手段若しくは使用者に異常を知らせる異常呈示手段とが設けられている構成とすることができる。
【０２１１】
これによれば、検出手段で電装品または接触部分の異常状態を検出した時に、駆動停止手段で電装品の駆動を停止させる。これにより、スイッチをオンしても電装品が駆動しないので、使用者にバイトプレート部分を使用できないことを知らしめることで、安全性が保証されるようになる。若しくは異常呈示手段で使用者に異常を知らせる。これにより、使用者はバイトプレート部分を使用できないことが知らされることで、安全性が保証されるようになる。
【０２１２】
前記接触部分は、塑性変形する構成とすることができる。
【０２１３】
これによれば、接触部分が塑性変形することで、さまざまな歯列の形状に接触部分が適合し、確実に歯列に振動を伝えることができる。さらに、振動の高速成分を緩和することにより、使用者の歯列や歯肉への損傷を防ぐことができる。
【符号の説明】
【０２１４】
３      歯列
３ａ    歯（矯正対象の歯）
３ｐ    前面
３ｑ    裏面
３ｒ    咬合面
４      ブラケット
５      矯正用ワイヤー
６      マルチブラケット装置
１１    起振部分
１２    接触部分
１２ｄ  歯に接触する部分
１２ｅ  それ以外の部分
１３    伝達部分
１６    電源供給部分
１７    制御部分
１８    配線
２０    電装品
２１    フレキシブル基板
３０Ａ〜３０Ｄ  バイトプレート部分
４０    検出手段
４１    駆動停止手段
４３    異常呈示手段
【図１】
2013123624.tif 000003
【図２】
2013123624.tif 000004
【図３】
2013123624.tif 000005
【図４】
2013123624.tif 000006
【図５】
2013123624.tif 000007
【図６】
2013123624.tif 000008
【図７】
2013123624.tif 000009
【図８】
2013123624.tif 000010
【図９】
2013123624.tif 000011
【図１０】
2013123624.tif 000012
【図１１】
2013123624.tif 000013
【図１２】
2013123624.tif 000014
【図１３】
2013123624.tif 000015
【図１４】
2013123624.tif 000016
【図１５】
2013123624.tif 000017